【事件の表示】
　特願２００６−１８４６８６「情報処理装置および方法、並びにプログラム」拒絶査定不服審判事件〔平成２０年　１月２４日出願公開、特開２００８−　１７０４２〕について、次のとおり審決する。
【結　論】
　本件審判の請求は、成り立たない。
【理　由】
【第１】経緯
　
［１］手続
　
　本願は、平成１８年７月４日の出願であって、手続の概要は以下のとおりである。
　
　拒絶理由通知　　　　　　　：平成２０年　４月　１日（起案日）
　意見書　　　　　　　　　　：平成２０年　６月　３日 
　手続補正（明細書の補正）　：平成２０年　６月　３日  
　拒絶査定　　　　　　　　　：平成２０年１０月１４日（起案日）
　拒絶査定不服審判請求　　　：平成２０年１１月１７日 
　手続補正（明細書の補正）　：平成２０年１２月１５日 
　前置審査報告　　　　　　　：平成２１年　１月２３日 
　審尋　　　　　　　　　　　：平成２２年　７月　５日（起案日）
　回答書　　　　　　　　　　：平成２２年　８月２７日 
　
［２］査定
　原査定の理由は、概略、以下のとおりである。
　
〈査定の理由〉
　本願の請求項１から請求項２１までに係る各発明は、下記刊行物に記載された発明に基づいて当業者が容易に発明をすることができたものであるから、特許法第２９条第２項の規定により、特許を受けることができない。
　　　　　記（引用例）
　刊行物１：特開２００５−３３３３８１号公報
　刊行物２：特開２００１−１６７１１０号公報
　
【第２】補正の却下の決定　  
 　  
　平成２０年１２月１５日付けの補正（以下「本件補正」という。）について次のとおり決定する。
 　  
　《結論》  
　平成２０年１２月１５日付けの補正を却下する。
 　  
　《理由》  
 　 
【第２-１】本件補正の内容 
　本件補正は、特許請求の範囲についてする以下の補正事項を含むものである。（下線部は補正箇所）。 
　
　請求項１，１８，２０の記載についてのみ補正するものであって、 
 　 
　請求項１について、 
　「動画コンテンツに基づいて顔検出処理を実行する顔検出手段と、
　前記顔検出手段により検出された顔に関する顔画像を保持する保持手段と、
　前記動画コンテンツ内において前記顔検出手段により検出された顔に関する第1の顔画像と、前記動画コンテンツ内で既に検出された顔に関する、前記保持手段に保持された第２の顔画像とを比較し、前記第１の顔画像と前記第２の顔画像とが同一人物の顔画像であるか否かを判別する顔画像処理手段と
　を備える情報処理装置。」（補正前）を、
　
　「
１つのファイルに相当する
に対して
　前記顔検出手段により検出された顔に関する顔画像を保持する保持手段と、
　前記動画コンテンツ内において前記顔検出手段により検出された顔に関する第1の顔画像と、
前記第１の顔画像に関する顔が検出された前記動画コンテンツと同一の
　を備える情報処理装置。」（補正後）とし、
　
　請求項１８について
　「情報処理装置が、
　動画コンテンツに基づいて顔検出処理を実行し、
　検出された顔に関する顔画像を保持手段に保持し、
　前記動画コンテンツ内において検出された顔に関する第1の顔画像と、前記動画コンテンツ内で既に検出された顔に関する、前記保持手段に保持された第２の顔画像とを比較し、前記第１の顔画像と前記第２の顔画像とが同一人物の顔画像であるか否かを判別する
　ステップを含む情報処理方法。」（補正前）を、
　
　「情報処理装置が、
　
１つのファイルに相当する
　前記動画コンテンツ内において検出された顔に関する第1の顔画像と、
前記第１の顔画像に関する顔が検出された前記動画コンテンツと同一の
　ステップを含む情報処理方法。」（補正後）とし、
　
　請求項２０について
　「コンピュータが実行するステップとして、
　動画コンテンツに基づいて顔検出処理を実行し、
　検出された顔に関する顔画像を保持手段に保持し、
　前記動画コンテンツ内において検出された顔に関する第1の顔画像と、前記動画コンテンツ内で既に検出された顔に関する、前記保持手段に保持された第２の顔画像とを比較し、前記第１の顔画像と前記第２の顔画像とが同一人物の顔画像であるか否かを判別する
　ステップを含むプログラム。」（補正前）を、
　
　「コンピュータが実行するステップとして、
　
１つのファイルに相当する
　前記動画コンテンツ内において検出された顔に関する第1の顔画像と、
前記第１の顔画像に関する顔が検出された前記動画コンテンツと同一の
　ステップを含むプログラム。」（補正後）とする補正。
　
【第２-２】本件補正の適合性１　補正の範囲（第１７条の２第３項） 
　本件補正は、願書に最初に添付した明細書（段落0036）に記載した事項の範囲内においてする補正である。 
　
【第２-３】本件補正の適合性２　補正の目的（第１７条の２第４項） 
　請求項１についてする上記補正事項は、補正前の請求項１に記載のあった特定事項である「顔検出手段」の検出対象である動画コンテンツを限定し減縮するものといえ、補正の前後において、産業上の利用分野及び解決しようとする課題は同一である。
　また、請求項１８，２０についてする上記補正事項も、上記請求項１についてする上記補正事項と同趣旨のものである。
　 
　そして、補正のない請求項２から１７，１９，２１も、請求項１，１８又は２０を引用することから、請求項１，１８，２０についてする補正と同様、「顔検出手段」の検出対象である動画コンテンツを限定し減縮したものとなる。
　したがって、本件補正は、平成１８年法律第５５号改正附則第３条第１項によりなお従前の例によるとされる同法による改正前の特許法第１７条の２第４項第２号で規定する特許請求の範囲の減縮を目的とするものに該当する。
　
【第２-４】本件補正の適合性３　独立特許要件（第１７条の２第５項） 
　そこで、独立特許要件について検討するに、補正後の請求項１に記載される発明は特許出願の際独立して特許を受けることができない。  
　
　本件補正は、平成１８年年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
 　 
　本件補正後の請求項１に記載される発明が特許出願の際独立して特許を受けることができないとする理由の詳細は、以下のとおりである。  
　
　《理由：独立特許要件に適合しない理由の詳細》 
　
［１］補正後発明  
　
　本件補正後の請求項１から請求項２１までに係る発明のうち請求項１に記載された発明（以下「補正後発明」という。）は、下記のとおりであると認められる。 
　
　　　　　　記（補正後発明）  
　１つのファイルに相当する動画コンテンツに対して顔検出処理を実行する顔検出手段と、
　前記顔検出手段により検出された顔に関する顔画像を保持する保持手段と、
　前記動画コンテンツ内において前記顔検出手段により検出された顔に関する第1の顔画像と、前記第１の顔画像に関する顔が検出された前記動画コンテンツと同一の前記動画コンテンツ内で既に検出された顔に関する、前記保持手段に保持された第２の顔画像とを比較し、前記第１の顔画像と前記第２の顔画像とが同一人物の顔画像であるか否かを判別する顔画像処理手段と
　を備える情報処理装置。
 　  
［２］引用刊行物の記載  
　
　刊行物１：特開２００５−３３３３８１号公報
　
　原査定の拒絶の理由に引用された刊行物である特開２００５−３３３３８１号公報（上記刊行物１に同じ。）には、図面と共に次に掲げる事項が記載されている。
　
　〈技術分野〉
　(K1)「【技術分野】【０００１】
　本発明は、時間の経過に伴って変化していく音声や映像などの時系列データが記録されたメディアデータの再生制御を行うメディアデータ再生装置、メディアデータ再生システム、メディアデータ再生プログラムおよび遠隔操作プログラムに関するものである。」
　
　〈発明が解決しようとする課題〉
　(K2)「【発明が解決しようとする課題】
【０００６】
  しかしながら、このような従来技術では、スライダによって指定できる領域の範囲には限度があるため、長時間記録されたメディアデータの場合、全再生時間分をスライダの小さな領域に割当てなければならず、このため、所望の再生位置を検索する場合、時刻の精度が低くなり、所望の再生位置の検索が困難になるという問題がある。
【０００７】
  また、サムネイル表示を行う従来技術では、画像が小さくなりすぎて、所望の再生位置かどうかの判断が難しくなり、所望の再生位置の検索が困難になるという問題がある。
【０００８】
  特に、メディアデータが音声データのみを記録したオーディオデータである場合には、利用者に視覚的に再生位置を把握させることができず、このため、指定した再生位置が所望の再生位置であるかどうかは、オーディオデータを実際に再生する以外には把握させることができない。
【０００９】
  本発明は、上記に鑑みてなされたものであって、再生時間が長時間のメディアデータであっても、メディアデータの各時刻での情報を再生位置の指定精度と同精度で表示することを可能にすることにより、メディアデータの再生位置の検索を容易にかつ高精度で行うことができるメディアデータ再生装置、メディアデータ再生システム、メディアデータ再生プログラムおよび遠隔操作プログラムを提供することを目的とする。」
　
　〈実施の形態１、図１〉
　(K3)「【００２４】
（実施の形態１）
  実施の形態１にかかるメディアデータ再生装置は、表示装置の再生制御表示画面に、メディアデータの各再生時刻を示す時刻図形を長方形状の領域に時系列に配列表示し、各再生時刻のデータに関連する特徴を抽出し、その特徴を示す特徴図形を時刻図形に対応づけて表示し、利用者が所望の時刻図形を指定することにより、指定された時刻図形の再生開始時刻の位置に再生位置を移動して再生するものである。
【００２５】
  図１は、本実施の形態にかかるメディアデータ再生装置の機能的構成を示すブロック図である。図１において、矢印はデータの流れを示している。本実施の形態にかかるメディアデータ再生装置は、図１に示すように、メディアデータ再生部１１０と、再生制御インターフェイス部１２０と、特徴情報保存部１３０と、特徴抽出部１４０とを備えている。そして、メディアデータ再生部１１０には、スピーカ１１４と、表示合成部１１６を介して表示装置１１７が接続されている。
【００２６】
  メディアデータ再生部１１０は、メディアデータを記憶すると共に、メディアデータの再生処理を行うものであり、メディアデータ記憶部１１１と、データ選択部１１２と、オーディオデコーダ１１３と、ビデオデコーダ１１５と、を備えた構成となっている。
【００２７】
  メディアデータ記憶部１１１は、例えばＣＤ−ＲＯＭやハードディスクやフラッシュメモリやビデオテープであり、少なくとも一つのメディアデータが保存されている。メディアデータは、音声データと画像データとを含むデータであり、時間の経過に従って内容が変化していく時系列メディアデータである。メディアデータは、メディアデータ記憶部１１１内部で一意的な名称（例えば、ファイル名等）に関連付けられており、メディアデータを利用者が検索し選択する際にこの一意な名称が表示装置１１７に表示されるようになっている。
【００２８】
  データ選択部１１２は、利用者の指定によってメディアデータ記憶部１１１に記録されているメディアデータを検索し、再生を行うメディアデータを選択するものである。例えば、本実施の形態のメディアデータ再生装置１００がＰＣ（Ｐｅｒｓｏｎａｌ  Ｃｏｍｐｕｔｅｒ）の場合には、ファイルシステムで管理されているメディアデータ記憶部１１１としてのハードディスクドライブ（ＨＤＤ）にメディアデータがファイル単位で記憶されており、データ選択部１１２による操作は、ファイルを選択する操作に該当する。また、例えば、本実施の形態のメディアデータ再生装置１００がビデオデッキであればビデオテープを入れる動作に該当する。このデータ選択部１１２により、利用者は再生を希望するメディアデータを選択する。
【００２９】
  オーディオデコーダ１１３は、メディアデータ中の音声データをオーディオデータに変換するものである。スピーカ１１４は、オーディオデコーダ１１３によって変換したオーディオデータを出力するものである。
【００３０】
  ビデオデコーダ１１５は、メディアデータ中の画像データをビデオデータに変換するものである。表示合成部１１６は、ビデオデコーダ１１５から受け取ったビデオデータと再生制御インターフェイスから受け取った、後述する時刻図形や特徴図形などのデータを合成するものである。」
　
　《特徴抽出部１４０、顔認識部１４４》
　(K4)「【００３６】
  特徴情報保存部１３０は、例えばＨＤＤやメモリ等の記憶媒体であり、テキストデータベース１３１と、音声区間データベース１３２と、話者情報データベース１３３と、顔データベース１３４と、シーンチェンジデータベース１３５とを格納している。
【００３７】
  特徴抽出部１４０は、メディアデータの各時刻における特徴を抽出して特徴情報保存部１３０に格納するものであり、テキスト変換部１４１と、音声区間検出部１４２と、話者識別部１４３と、顔認識部１４４と、シーンチェンジ認識部１４５とを備えている。
【００３８】
  テキスト変換部１４１は、オーディオデコーダ１１３から受け取ったオーディオデータと音声区間検出部１４２から受け取った音声区間データとから音声区間内のオーディオデータをテキストデータに変換し、変換したテキストデータをテキストデータベース１３１に登録するものである。かかる変換には、公知の音声認識技術を利用する。テキストデータには、文字単位や単語単位や文単位で開始時刻と終了時刻が関連付けられる。
【００３９】
  音声区間検出部１４２は、オーディオデコーダ１１３から受け取ったオーディオデータに音声が存在するかどうかを判断し、音声が存在する場合にはオーディオデータの音声が含まれている区間（開始時刻と終了時刻）を示す音声区間データを音声区間データベース１３２に登録するものである。
【００４０】
  話者識別部１４３は、オーディオデコーダ１１３から受け取ったオーディオデータと音声区間検出部１４２から受け取った音声区間データとから、音声区間内のオーディオデータに対して、話者を識別し、話者データを生成して話者情報データベース１３３に登録するものである。話者情報には、例えば話者の識別番号（ＩＤ）と音声区間検出部１４２から得た音声の開始時刻と終了時刻が含まれる。
【００４１】
  顔認識部１４４は、ビデオデコーダ１１５から受け取ったビデオデータから人物の顔が映っているか否かを判断し、映っている場合にはその顔の人物の特定をして、顔が映っている時間帯（開始時刻と終了時刻）示す顔存在区間データを顔データベース１３４に登録するものである。さらに、映っている顔の人物を特定できた場合は、顔存在区間データにその人物の顔を特定する顔ＩＤを開始時刻と終了時刻に対応付ける。」
　
　《顔データベース　図１０−１》
　　(K5)「【００７２】
  次に、特徴情報保存部１３０に保存されている各データベースについて説明する。
【００７３】〜【００７５】略
【００７６】
  顔データベース１３４は、メディアデータの中のビデオデータから人物の顔が写っている区間とその人物の顔の識別情報である顔ＩＤとを対応付けた顔存在区間データを登録したデータベースである。図１０−１は、顔データベース１３４のデータ構造の一例を示す説明図である。顔データベース１３４には、図１０−１に示すように、人物の顔が存在する区間の開始時刻と終了時刻と顔ＩＤとを対応付けた顔区間データが登録されている。」
　《特徴情報の抽出処理　図１２》
　(K6)「【００７８】
  次に、以上のように構成された本実施の形態にかかるメディアデータ再生装置１００によるメディアデータの再生処理について説明する。まず、特徴抽出部１４０によるメディアデータからの特徴情報の抽出処理について説明する。
【００７９】〜【００８５】略
【００８６】
  次に、メディアデータの中のビデオデータからの特徴情報の抽出処理について説明する。図１２は、メディアデータの中のビデオデータからの特徴情報の抽出処理の手順を示すフローチャートである。
【００８７】
  利用者がこれから再生を行うメディアデータを指定すると、データ選択部１１２によって、メディアデータ記憶部１１１から指定されたメディアデータが読み出される（ステップＳ１２０１）。そして、ビデオデコーダ１１５が読み出されたメディアデータにビデオデータが含まれるか否かを判断する（ステップＳ１２０２）。そして、ビデオデータが含まれていないと判断された場合には（ステップＳ１２０２：Ｎｏ）、処理を終了する。
【００８８】
  一方、ステップＳ１２０２において、メディアデータにビデオデータが含まれている判断された場合には（ステップＳ１２０２：Ｙｅｓ）、ビデオデーダ１１５はメディアデータ記憶部１１１から受け取ったデータをビデオデータに変換し、顔認識部１４４によって、ビデオデータに人物の顔の画像が含まれるか否かを判断して、顔の画像が含まれる場合にさらに顔の画像が誰の顔であるかを識別する（ステップＳ１２０３）。そして、顔認識部１４４は、識別した人物の顔ＩＤと顔の画像が存在する開始時刻と終了時刻である顔存在区間の時刻情報を、図１０−１に示すように顔存在区間データとして顔データベース１３４に登録する（ステップＳ１２０４）。
【００８９】略
【００９０】
  以上のような処理によって、メディアデータの中のビデオデータから特徴的な情報である顔存在区間データとシーンチェンジデータが抽出され、それぞれ顔データベース１３４、シーンチェンジデータベース１３５に登録されることになる。」
　
　(K7)「【００９２】
  また、本実施の形態では、特徴情報抽出処理をメディアデータを選択した直後に行っているが、この他、利用者が各特徴図形を再生制御表示画面３０２に表示する際に、再生制御インターフェイス１２２によって実行するように構成してもよい。例えば、設定ボタンＡ１８を、特徴情報抽出設定ボタンとして、この特徴情報抽出設定ボタンをクリックした場合に、特徴情報抽出処理を再生制御インターフェイス１２２によって実行するように構成することができる。
【００９３】
  また、一旦、メディアデータの特徴を抽出すれば各特徴の情報は特徴情報保存部１３０の各データベースに記録された状態となるので、同一のメディアデータを再度選択した場合には、特徴情報抽出処理を実行する必要はなくなる。」
　　
［３］刊行物１に記載された発明（以下、「引用発明」という）
 　 
　（１）引用発明を認定する構成・処理概要
　刊行物１には、全般、「再生時間が長時間のメディアデータであっても、メディアデータの各時刻での情報を再生位置の指定精度と同精度で表示することを可能にすることにより、
メディアデータの再生位置の検索を容易にかつ高精度で行うことができる
　そのための実施の形態１として前掲(K3)〜(K7)に掲げるメディアデータ再生装置（図１）が記載され、このメディアデータ再生装置に着目する。
　メディアデータ再生装置で行われる処理のうち、特に、「
メディアデータの中のビデオデータから特徴的な情報である顔存在区間データ」を抽出して「顔データベース１３４」「に登録」する処理（
　「
メディアデータの特徴抽出が未だ特徴情報保存部１３０の各データベースに記録される前、メディアデータを選択した直後に行う処理
　｛このような処理であるといえることは、「メディアデータを選択した直後に行う」（(K7)段落【0092】）、「また、一旦、メディアデータの特徴を抽出すれば各特徴の情報は特徴情報保存部１３０の各データベースに記録された状態となるので、同一のメディアデータを再度選択した場合には、特徴情報抽出処理を実行する必要はなくなる。」（(K7)段落【0093】｝から明らかである。｝である。
　に着目する。
　
　以上によれば、
　
メディアデータの特徴抽出が未だ特徴情報保存部１３０の各データベースに記録される前、メディアデータを選択した直後に行う
メディアデータの中のビデオデータから特徴的な情報である顔存在区間データを抽出して顔データベース１３４に登録する処理
　
メディアデータの再生位置の検索を容易にかつ高精度で行うことができる
　を認定することができる。
　
　（２）構成（詳細）
　（ア）メディアデータ再生装置の構成｛(K3)，図１等｝
　
メディアデータ再生装置（図１）は、「メディアデータ再生部１１０」、「特徴抽出部１４０」、「特徴情報保存部１３０」を備え
　「
メディアデータ再生部１１０
　「
特徴抽出部１４０
顔認識部１４４
　「
特徴情報保存部１３０
顔データベース１３４
　
　以上によれば、
　
メディアデータ再生部１１０、特徴抽出部１４０、特徴情報保存部１３０を備えるメディアデータ再生装置
　
メディアデータ再生部１１０のメディアデータ記憶部１１１
データ選択部１１２
ビデオデコーダ１１５
　
メディアデータの各時刻における特徴を抽出する特徴抽出部１４０の顔認識部１４４
　を認めることができる。
　
　（イ）メディアデータ、ファイル、メディアデータの選択｛(K3)等｝
　前掲(K3)の特に段落【0027】【0028】によれば、
　「メディアデータは、音声データと画像データとを含」み、「時間の経過に従って内容が変化していく時系列」データで、「ファイルシステムで管理されているメディアデータ記憶部１１１」に「ファイル名に関連付けされて」「ファイル単位で記憶されて」いるもので、
　利用者が、データ選択部１１２でファイルを選択することで、再生を行うメディアデータを選択するものである。
　そして、選択されたメディアデータは、前掲(K6)段落【0087】のように記憶部１１１から読み出される。
　上記（ア）を踏まえれば、以上のことから、
　
メディアデータ再生部１１０のデータ選択部１１２でファイルを選択することにより、ファイルシステムで管理されているメディアデータ記憶部１１１にファイル名に関連付けされてファイル単位で記憶されているメディアデータであって、音声データと画像データとを含み時間の経過に従って内容が変化していく時系列データであるメディアデータ、がメディアデータ記憶部１１１から選択されて読み出され
　を認めることができる。
　
　《段落【0027】【0028】再掲》
「【００２７】
  メディアデータ記憶部１１１は、例えばＣＤ−ＲＯＭやハードディスクやフラッシュメモリやビデオテープであり、少なくとも一つのメディアデータが保存されている。メディアデータは、音声データと画像データとを含むデータであり、時間の経過に従って内容が変化していく時系列メディアデータである。メディアデータは、メディアデータ記憶部１１１内部で一意的な名称（例えば、ファイル名等）に関連付けられており、メディアデータを利用者が検索し選択する際にこの一意な名称が表示装置１１７に表示されるようになっている。
【００２８】
  データ選択部１１２は、利用者の指定によってメディアデータ記憶部１１１に記録されているメディアデータを検索し、再生を行うメディアデータを選択するものである。例えば、本実施の形態のメディアデータ再生装置１００がＰＣ（Ｐｅｒｓｏｎａｌ  Ｃｏｍｐｕｔｅｒ）の場合には、ファイルシステムで管理されているメディアデータ記憶部１１１としてのハードディスクドライブ（ＨＤＤ）にメディアデータがファイル単位で記憶されており、データ選択部１１２による操作は、ファイルを選択する操作に該当する。また、例えば、本実施の形態のメディアデータ再生装置１００がビデオデッキであればビデオテープを入れる動作に該当する。このデータ選択部１１２により、利用者は再生を希望するメディアデータを選択する。」
　
　（ウ）特徴情報の抽出処理（図１２、(K4)〜(K6)等）、
　上述（１）した「メディアデータを選択した直後に行う、メディアデータの中のビデオデータから特徴的な情報である顔存在区間データを抽出して顔データベース１３４に登録する処理」は、
　前掲(K6)、特に、段落【0087】【0088】【0041】【0076】及び図１２等によれば、次のようにしてなされる。
　
　（ウ-１）ステップＳ１２０１、Ｓ１２０２（図１２）
　〈Ｓ１２０１：メディアデータを読み出す〉
　「利用者がこれから再生を行うメディアデータを指定すると、データ選択部１１２によって、メディアデータ記憶部１１１から指定されたメディアデータが読み出され」（ステップＳ１２０１）、
　〈Ｓ１２０２：ビデオデータ存在？〉
　「メディアデータにビデオデータが含まれている判断された場合には（ステップＳ１２０２：Ｙｅｓ）、ビデオデーダ１１５はメディアデータ記憶部１１１から受け取ったデータをビデオデータに変換」する。（段落【0087】【0088】）
　これらステップＳ１２０１、Ｓ１２０２は、メディアデータ再生部１１０で行われる処理であり、利用者によるメディアデータの指定は上記（イ）のように、メディアデータ再生部１１０のデータ選択部１１２でファイルを選択することでなされる。
　すなわち、データ選択部１１２でファイルを選択することにより、
　
読み出されたメディアデータは、メディアデータ再生部１１０のビデオデーダ１１５によりビデオデータに変換される
　
　（ウ-２）ステップＳ１２０３、１２０４（図１２，図１０−１）
　〈Ｓ１２０３：顔の識別〉
　変換されたビデオデータは、「顔認識部１４４によって、
ビデオデータに人物の顔の画像が含まれるか否かを判断
顔の画像が含まれる場合にさらに顔の画像が誰の顔であるかを識別
　〈Ｓ１２０４：顔ＩＤを時刻情報とともに顔ＤＢに登録〉
　「そして、顔認識部１４４は、識別した人物の顔ＩＤと顔の画像が存在する開始時刻と終了時刻である顔存在区間の時刻情報を、図１０−１に示すように顔存在区間データとして顔データベース１３４に登録する（ステップＳ１２０４）。」（段落【0088】）
　これらのステップでの処理は、詳しくは、「顔認識部１４４は、ビデオデコーダ１１５から受け取った
ビデオデータから人物の顔が映っているか否かを判断
映っている場合にはその顔の人物の特定をして
　「顔データベース１３４は、メディアデータの中のビデオデータから人物の顔が写っている区間とその人物の顔の識別情報である顔ＩＤとを対応付けた顔存在区間データを登録したデータベースである。図１０−１は、顔データベース１３４のデータ構造の一例を示す説明図である。顔データベース１３４には、図１０−１に示すように、人物の顔が存在する区間の開始時刻と終了時刻と顔ＩＤとを対応付けた顔区間データが登録されている。」（段落【0076】）とされ、
　図１０−１の顔データベース１３４には、
　開始時刻００：１３：１０から終了時刻００：２０：３５まで、顔ＩＤが０２０１の人物が映っており、
　開始時刻０１：０５：２０から終了時刻０１：１５：４５まで、顔ＩＤが０２０２の人物が映っていることが示されている。
　
　(a)上記〈Ｓ１２０３：顔の識別〉で「顔認識部１４４」による
　「
変換されたビデオデータに人物の顔の画像が含まれるか否か（ビデオデータから人物の顔が映っているか否か）を判断し
　「
映っている場合にはその顔の画像が誰の顔であるか識別しその顔の人物の特定をし
　「顔認識部１４４」は、読み出された「メディアデータの
各時刻
特徴を抽出する
　｛「特徴抽出部１４０は、
メディアデータの各時刻における特徴を抽出して
　ことから、
　ビデオデータの
各時刻
　
　また、このことは、以下の点からみても、明らかである。
　すなわち、
　・ビデオデータは、一般に
時系列で連続する多数枚の静止画
　「顔認識部１４４」は、
  「顔が映っている時間帯（区間）を示す顔存在区間の時刻情報であって顔の画像が存在する開始時刻と終了時刻の時刻情報と、識別した人物の顔の識別情報である顔ＩＤとを対応付けた、図１０−１に示す顔存在区間データとして特徴情報保存部１３０の顔データベース１３４」であって、
　「開始時刻００：１３：１０から終了時刻００：２０：３５まで」の
７分２５秒間
　また、「開始時刻０１：０５：２０から終了時刻０１：１５：４５まで」の
１０分２５秒間は、顔ＩＤが０２０１の人物とは異なる
　登録している以上、
　少なくとも、開始時刻００：１３：１０から終了時刻００：２０：３５までの
各時刻
ビデオデータに人物の顔の画像が含まれるか否か（ビデオデータから人物の顔が映っているか否か）」を判断し
　これらの点から見ても、
　上記処理は、ビデオデータの
各時刻
　
　(b)上記〈Ｓ１２０４：顔ＩＤを時刻情報とともに顔ＤＢに登録〉で「顔認識部１４４」による上記処理は、
　「
顔が映っている時間帯（区間）を示す顔存在区間の時刻情報であって顔の画像が存在する開始時刻と終了時刻の時刻情報と、識別した人物の顔の識別情報である顔ＩＤとを対応付けた、図１０−１に示す顔存在区間データとして特徴情報保存部１３０の顔データベース１３４
　「開始時刻００：１３：１０から終了時刻００：２０：３５までの
７分２５秒間
　開始時刻０１：０５：２０から終了時刻０１：１５：４５までの
１０分２５秒間
顔ＩＤが０２０１の人物とは異なる
顔ＩＤが０２０２の人物
　このことから、
　上記「顔存在区間」である上記７分２５秒間、
継続的に顔ＩＤが０２０１の特定の同一人物の顔が映っている区間
継続的に、顔ＩＤが０２０１の人物とは異なる顔ＩＤが０２０２の特定の同一人物の顔が映っている区間として、抽出識別している
　
　（ウ-３）以上によれば、
　データ選択部１１２でファイルを選択することにより、
　
読み出されたメディアデータは、メディアデータ再生部１１０のビデオデーダ１１５によりビデオデータに変換され、
　
メディアデータの各時刻における特徴を抽出する特徴抽出部１４０の顔認識部１４４によって、
　
・変換されたビデオデータの各時刻（その間隔はともかく）において
　
ビデオデータに人物の顔の画像が含まれるか否か（ビデオデータから人物の顔が映っているか否か）を判断し、
　
映っている場合にはその顔の画像が誰の顔であるか識別しその顔の人物の特定をし、
　
・顔が映っている時間帯（区間）を示す顔存在区間の時刻情報であって顔の画像が存在する開始時刻と終了時刻の時刻情報と、識別した人物の顔の識別情報である顔ＩＤとを対応付けた、図１０−１に示す顔存在区間データとして特徴情報保存部１３０の顔データベース１３４に登録する処理
　
であって、
　開始時刻００：１３：１０から終了時刻００：２０：３５までの７分２５秒間、継続的に顔ＩＤが０２０１の特定の同一人物の顔が映っている区間とし、
　
開始時刻０１：０５：２０から終了時刻０１：１５：４５までの１０分２５秒間は、継続的に、顔ＩＤが０２０１の人物とは異なる顔ＩＤが０２０２の特定の同一人物の顔が映っている区間として、
抽出識別し登録する処理するもの
　を認めることができる。
　
　（３）引用発明
　以上によれば、補正後発明と対比する引用発明として、下記の発明を認定することができる。  
 　　　　　 
　　　　　　　記（引用発明） 
　メディアデータ再生部１１０、特徴抽出部１４０、特徴情報保存部１３０を備えるメディアデータ再生装置であって、
  メディアデータの特徴抽出が未だ特徴情報保存部１３０の各データベースに記録される前、メディアデータを選択した直後に行う、メディアデータの中のビデオデータから特徴的な情報である顔存在区間データを抽出して顔データベース１３４に登録する処理であって、
　メディアデータ再生部１１０のデータ選択部１１２でファイルを選択することにより、ファイルシステムで管理されているメディアデータ記憶部１１１にファイル名に関連付けされてファイル単位で記憶されているメディアデータであって、音声データと画像データとを含み時間の経過に従って内容が変化していく時系列データであるメディアデータ、がメディアデータ記憶部１１１から選択されて読み出され、
　読み出されたメディアデータは、メディアデータ再生部１１０のビデオデーダ１１５によりビデオデータに変換され、　
　メディアデータの各時刻における特徴を抽出する特徴抽出部１４０の顔認識部１４４によって、次の〔処理Ｐ１〕〔処理Ｐ２〕を行うようにした、
　メディアデータの再生位置の検索を容易にかつ高精度で行うことができるようにするメディアデータ再生装置。　
　
　〔処理Ｐ１〕
　変換されたビデオデータの各時刻（その間隔はともかく）において、
　ビデオデータに人物の顔の画像が含まれるか否か（ビデオデータから人物の顔が映っているか否か）を判断し、　
　映っている場合にはその顔の画像が誰の顔であるか識別しその顔の人物の特定をし、　
　〔処理Ｐ２〕
　顔が映っている時間帯（区間）を示す顔存在区間の時刻情報であって顔の画像が存在する開始時刻と終了時刻の時刻情報と、識別した人物の顔の識別情報である顔ＩＤとを対応付けた、図１０−１に示す顔存在区間データとして特徴情報保存部１３０の顔データベース１３４に登録する処理　
　であって、　
　開始時刻００：１３：１０から終了時刻００：２０：３５までの７分２５秒間、継続的に顔ＩＤが０２０１の特定の同一人物の顔が映っている区間とし、　
　開始時刻０１：０５：２０から終了時刻０１：１５：４５までの１０分２５秒間は、継続的に、顔ＩＤが０２０１の人物とは異なる顔ＩＤが０２０２の特定の同一人物の顔が映っている区間として、
　抽出識別し登録する処理。
　
［４］補正後発明と引用発明との対比（対応関係）  
　
　（１）補正後発明（構成要件の分説）
　
　補正後発明は、以下のように要件Ａ〜Ｄに分説することができる。
　
　　　　　補正後発明（分説）
　Ａ：１つのファイルに相当する動画コンテンツに対して顔検出処理を実行する顔検出手段と、
　Ｂ：前記顔検出手段により検出された顔に関する顔画像を保持する保持手段と、
　Ｃ：前記動画コンテンツ内において前記顔検出手段により検出された顔に関する第1の顔画像と、前記第１の顔画像に関する顔が検出された前記動画コンテンツと同一の前記動画コンテンツ内で既に検出された顔に関する、前記保持手段に保持された第２の顔画像とを比較し、前記第１の顔画像と前記第２の顔画像とが同一人物の顔画像であるか否かを判別する顔画像処理手段と
　Ｄ：を備える情報処理装置。
　
　（２）対応関係
　
　ア　構成要件Ａ，Ｄについて
　Ａ「１つのファイルに相当する動画コンテンツに対して顔検出処理を実行する顔検出手段と、」、
　Ｄ「を備える情報処理装置。」
　
　ア-１　「１つのファイルに相当する動画コンテンツ」
　「１つのファイルに相当する動画コンテンツ」とは、本願明細書の下記記載に照らせば、「１つのファイルで表現された、主に動画像から構成されたコンテンツ」をいうものと解されるところ、
　引用発明の「ファイルシステムで管理されているメディアデータ記憶部１１１にファイル名に関連付けされてファイル単位で記憶されているメディアデータであって、音声データと画像データとを含み時間の経過に従って内容が変化していく時系列データであるメディアデータ」も、「
ファイル単位で表現された、動画像から構成されたコンテンツ
　引用発明の「メディアデータ再生部１１０のデータ選択部１１２でァイルを選択することにより」「メディアデータ記憶部１１１から選択されて読み出され」る「メディアデータ」は、
　「
１つの
　また、引用発明の上記「読み出されたメディアデータ」は、
　「メディアデータ再生部１１０のビデオデーダ１１５によりビデオデータに変換され」、
　「メディアデータの各時刻における特徴を抽出する特徴抽出部１４０の顔認識部１４４によって、
　〔処理Ｐ１〕
　変換されたビデオデータの各時刻（その間隔はともかく）において、
　ビデオデータに・・・を判断し、　
　映っている場合には・・・特定をし、　
　〔処理Ｐ２〕
  顔が映っている時間帯（区間）・・・抽出識別し登録する処理
　を行うのであるから、
　これら「変換され、」、「判断し、」、「特定をし、」、「登録する」とされる「メディアデータ」も、補正後発明でいう「１つのファイルに相当する動画コンテンツ」と言い得るものである。
　
　　　　　記（本願明細書の記載）
　「コンテンツとは人間の創造的活動により生み出されるものをいい、それらのうちの画像を少なくとも含むコンテンツを画像コンテンツという。また、画像コンテンツは、主に動画像から構成される動画コンテンツと、主に静止画像から構成される静止画コンテンツとに大別される。」（段落【0035】）
　「コンテンツはファイル単位で記録媒体に記録されるとし、コンテンツの個数はファイル単位で表現する。」（段落【0036】）　
　「従来、複数の動画コンテンツの中から所望の１つの再生を指示するための再生指示操作として、次のような操作が知られている。即ち、複数の動画コンテンツのインデックスとしての各サムネイル画像の一覧がユーザに提示され、ユーザは、その一覧の中から、再生を所望する動画コンテンツに対応するサムネイル画像を選択する、といった再生指示操作が知られている。」（段落【0037】）
　
　ア-２ 「動画コンテンツに対して顔検出処理を実行する顔検出手段」
　引用発明は、上記「〔処理Ｐ１〕
　変換されたビデオデータの各時刻（その間隔はともかく）において、
　ビデオデータに人物の
顔の画像
顔
　映っている場合にはその
顔の画像
　顔を検出する「
顔検出処理
実行
　また、「
人物の顔の画像を捕捉している
　そして、同〔処理Ｐ１〕は、「読み出されたメディアデータ」を「ビデオデータに変換され」たビデオデータの各時刻においてなされる処理であるが、　変換して〔処理Ｐ１〕する処理は、「読み出された
メディアデータ
メディアデータの各時刻
メディアデータの各時刻における
　引用発明は、
　「読み出された
メディアデータ
メディアデータの各時刻
する顔検出手段
　そして、「読み出されたメディアデータ」が、「
１つのファイルに相当する動画コンテンツ
　引用発明は、「
１つのファイルに相当する動画コンテンツに対して
顔検出処理を実行する顔検出手段
　構成要件Ａ「１つのファイルに相当する動画コンテンツに対して顔検出処理を実行する顔検出手段と、」とする補正後発明と引用発明は相違しない。
　
　ア-３　情報処理装置
　「メディアデータ再生装置。」である引用発明も、「情報処理装置」と言い得ることは明らかである。
　
　ア-４　以上によれば、
　引用発明は、構成要件Ａ及びＤ、すなわち、
　「１つのファイルに相当する動画コンテンツに対して顔検出処理を実行する顔検出手段と、」「を備える情報処理装置。」である点において、補正後発明と相違はない。
　
　イ　構成要件Ｂについて
　Ｂ「前記顔検出手段により検出された顔に関する顔画像を保持する保持手段と、」
　
　引用発明が「顔検出処理を実行する顔検出手段」を備えていると認められることは上記アの通りであり、また、「顔検出処理を実行し
人物の顔の画像
　その「
人物の顔の画像
顔に関する顔画像
　引用発明は、「前記顔検出手段により検出された顔に関する顔画像」を
捕捉
　もっとも、引用発明は、「前記顔検出手段により検出された顔に関する顔画像を
保持する保持手段
　
　ウ　構成要件Ｃについて
　Ｃ「前記動画コンテンツ内において前記顔検出手段により検出された顔に関する
第1の顔画像と
第２の顔画像とを比較し
判別する
　
　ウ-１　補正後発明
　「第1の顔画像」と「前記第２の顔画像を比較し、前記第１の顔画像と前記第２の顔画像とが同一人物の顔画像であるか否かを判別する」処理は、
　『第1の顔画像と前記第２の顔画像とを
用いた
　構成要件Ｃは、
　『前記動画コンテンツ内において前記顔検出手段により検出された顔に関する第1の顔画像と、前記第１の顔画像に関する顔が検出された前記動画コンテンツと同一の前記動画コンテンツ内で既に検出された顔に関する第２の顔画像とを
用いた処理手段
　「前記第1の顔画像と前記第２の顔画像を比較し、前記第１の顔画像と前記第２の顔画像とが同一人物の顔画像であるか否かを判別する顔画像処理手段」
　ということができる。
　
　ウ-２　引用発明
　
　(a)同一の前記動画コンテンツ内
　上記（ア-２）したように、引用発明は、「
１つのファイルに相当する動画コンテンツに対して
　「
同一の
　
　(b)顔に関する「
第1の顔画像
第２の顔画像
　また、上記（ア-２）したように、「
メディアデータの各時刻
人物の顔の画像
顔に関する顔画像
　引用発明は、少なくとも、「
同一の
内の異なる時点
　第１の時点で捕捉された顔画像を「第1の顔画像」、同一の動画コンテンツ内で第１の時点より前の時点で既に検出されていた顔に関する顔画像（捕捉された顔の画像）」を「第２の顔画像」と称すれば、
　『前記動画コンテンツ内において前記顔検出手段により検出された顔に関する第1の顔画像と、前記第１の顔画像に関する顔が検出された前記動画コンテンツと同一の前記動画コンテンツ内で既に検出された顔に関する第２の顔画像』を捕捉しているものと認められる。
　
　(c)「第1の顔画像」と「第２の顔画像」を
用いた処理手段
　ビデオデータに変換して〔処理Ｐ１〕し、続いて〔処理Ｐ２〕するところ、
  「〔処理１〕で、映っている場合にはその顔の画像が誰の顔であるか識別しその顔の人物の特定」をし、
　〔処理２〕で、顔が映っている時間帯（区間）を示す顔存在区間の時刻情報であって顔の画像が存在する開始時刻と終了時刻の時刻情報と、識別した人物の顔の識別情報である顔ＩＤとを対応付けた、図１０−１に示す顔存在区間データとして特徴情報保存部１３０の顔データベース１３４に登録する処理であって、　
　開始時刻００：１３：１０から終了時刻００：２０：３５までの７分２５秒間、継続的に顔ＩＤが０２０１の特定の同一人物の顔が映っている区間とし、　
　開始時刻０１：０５：２０から終了時刻０１：１５：４５までの１０分２５秒間は、継続的に、顔ＩＤが０２０１の人物とは異なる顔ＩＤが０２０２の特定の同一人物の顔が映っている区間として、
　抽出識別し登録する処理」
　（以下、略して簡単に『
顔の人物の特定をし、区間を抽出識別し登録する処理
　は、
　「捕捉した人物の顔の画像」を用いずに、「顔の画像が誰の顔であるか識別しその顔の人物の特定をし、」とか、図１０−１に示す、継続的に特定の同一人物の顔が映っている区間を抽出識別する処理ができるとは考えられないから、少なくとも、
　
メディアデータの各時刻において「捕捉した人物の顔の画像」
を用いた
処理
　
　(d)まとめ
　上記(a)〜(c)によれば、
　引用発明は、「同一の動画コンテンツに対して、動画コンテンツの各時刻において、顔検出処理を実行する顔検出手段」により「
各時刻において検出された顔に関する顔画像」を用いた処理手段
　したがって、
　『前記動画コンテンツ内において前記顔検出手段により検出された顔に関する第1の顔画像と、前記第１の顔画像に関する顔が検出された前記動画コンテンツと同一の前記動画コンテンツ内で既に検出された顔に関する第２の顔画像を用いた処理手段』といい得る手段であって、
　上記『
顔の人物の特定をし、区間を抽出識別し登録する処理
　を備えているということができる。
　
　ウ-３　対比
　以上によれば、
　補正後発明と引用発明は、
　『前記動画コンテンツ内において前記顔検出手段により検出された顔に関する第1の顔画像と、前記第１の顔画像に関する顔が検出された前記動画コンテンツと同一の前記動画コンテンツ内で既に検出された顔に関する第２の顔画像とを用いた
処理手段
　上記『
処理手段
  補正後発明では、
　　第２の顔画像が、前記保持手段に保持された第２の顔画像であり、
　　前記第1の顔画像と前記第２の顔画像とを比較し、前記第１の顔画像と前記第２の顔画像とが同一人物の顔画像であるか否かを判別する顔画像処理手段であるとするのに対して、
　引用発明では、
　　第２の顔画像が、前記保持手段に保持された第２の顔画像であり、とはしていないし、
　　前記第1の顔画像と前記第２の顔画像とを比較し、前記第１の顔画像と前記第２の顔画像とが同一人物の顔画像であるか否かを判別する顔画像処理手段であるともしていない点では相違が認められる。（→相違点２）
　
［５］一致点、相違点  
　以上の対比結果によれば、補正後発明と引用発明との一致点、相違点は次のとおりであることが認められる。  
 　 
　［一致点］ 
　Ａ：１つのファイルに相当する動画コンテンツに対して顔検出処理を実行する顔検出手段と、
　Ｃ’：『前記動画コンテンツ内において前記顔検出手段により検出された顔に関する第1の顔画像と、前記第１の顔画像に関する顔が検出された前記動画コンテンツと同一の前記動画コンテンツ内で既に検出された顔に関する第２の顔画像とを用いた
処理手段
　Ｄ：を備える情報処理装置。
　
　［相違点］
　
　［相違点１］
　補正後発明は、
　　Ｂ「前記顔検出手段により検出された顔に関する顔画像を保持する保持手段」を備えるとするのに対し、
　引用発明は、
　　これを備えるとはしていない点。
　
　［相違点２］
　上記Ｃ’『
処理手段
  補正後発明では、
　　第２の顔画像が、前記保持手段に保持された第２の顔画像であり、
　　前記第1の顔画像と前記第２の顔画像とを比較し、前記第１の顔画像と前記第２の顔画像とが同一人物の顔画像であるか否かを判別する顔画像処理手段であるとするのに対して、
　引用発明では、
　　第２の顔画像が、前記保持手段に保持された第２の顔画像であり、とはしていないし、
　　前記第1の顔画像と前記第２の顔画像とを比較し、前記第１の顔画像と前記第２の顔画像とが同一人物の顔画像であるか否かを判別する顔画像処理手段であるともしていない点。
　
［６］相違点等の判断（容易想到性の判断）  
 　 
（１）相違点の克服  
　
　引用発明を出発点として、
　
　［相違点１の克服］　
　　引用発明が、Ｂ「前記顔検出手段により検出された顔に関する顔画像を保持する保持手段」を備えるとすることで、［相違点１］は克服され、
　［相違点２の克服］　
　引用発明の上記Ｃ’『
処理手段
　第２の顔画像が、前記保持手段に保持された第２の顔画像であり、
　前記第1の顔画像と前記第２の顔画像とを比較し、前記第１の顔画像と前記第２の顔画像とが同一人物の顔画像であるか否かを判別する顔画像処理手段（を含む）とすることで、［相違点２］は克服されて、
　
　補正後発明に到達する。
　
　上記［相違点２の克服］は、
　上記Ｃ’『
処理手段
顔の人物の特定をし、区間を抽出識別し登録する処理
　第２の顔画像が、前記保持手段に保持された第２の顔画像であり、
　前記第1の顔画像と前記第２の顔画像とを比較し、前記第１の顔画像と前記第２の顔画像とが同一人物の顔画像であるか否かを判別する顔画像処理手段とすることで克服される。
　
（２）［相違点の克服］の容易想到性  
　
　引用発明の、上記Ｃ’『
処理手段
処理手段
　上記『
顔の人物の特定をし、区間を抽出識別し登録する処理
　
　「〔処理１〕で、映っている場合にはその顔の画像が誰の顔であるか識別しその顔の人物の特定」をし、
　〔処理２〕で、顔が映っている時間帯（区間）を示す顔存在区間の時刻情報であって顔の画像が存在する開始時刻と終了時刻の時刻情報と、識別した人物の顔の識別情報である顔ＩＤとを対応付けた、図１０−１に示す顔存在区間データとして特徴情報保存部１３０の顔データベース１３４に登録する処理であって、　
　開始時刻００：１３：１０から終了時刻００：２０：３５までの７分２５秒間、継続的に顔ＩＤが０２０１の特定の同一人物の顔が映っている区間とし、　
　開始時刻０１：０５：２０から終了時刻０１：１５：４５までの１０分２５秒間は、継続的に、顔ＩＤが０２０１の人物とは異なる顔ＩＤが０２０２の特定の同一人物の顔が映っている区間として、
　抽出識別し登録する処理」は、
　
　引用発明のする、「メディアデータの特徴抽出が
未だ
記録される前
直後に行う
　初めて、「開始時刻００：１３：１０から終了時刻００：２０：３５までの７分２５秒間、継続的に顔ＩＤが０２０１の特定の同一人物の顔が映っている区間」を抽出識別する場合を考えれば、
　(i)まず、開始時刻００：１３：１０時点(t0)で、顔画像(t0)を検出すること、
　(ii)次に、開始時刻からΔｔ秒後の時刻（例えば、次の検出時刻）００：１３：１０+Δt＝t1時点でも顔画像(t1)を検出すること、
　(iii)このとき、これら２つの顔画像(t0)と顔画像(t1)を同一人物の顔と判定しなければならないこと（そのように判定しないのであれば、開始時刻００：１３：１０から終了時刻００：２０：３５までの７分２５秒間、継続的に顔ＩＤが０２０１の特定の同一人物の顔が映っている区間とはならない。）、
　以上は明らかである。
　そして、一般に、２つのものが同じであるか否かを判定するのに、その２つのものを比較して行うことは、自然かつ常識であって、
　２つの顔画像を同一人物の顔画像と判定するのに、２つの顔画像を比較することにより判定することは、当業者ならずとも、普通に想定することである。
　すなわち、前後の２つの検出時刻で検出された２つの顔画像｛顔画像(t0)と顔画像(t1)｝を比較することにより、これら２つ顔画像が同一人物の顔画像であると判定することは、当業者が容易に想到し得ることである。
　
　そして、前後の２つの検出時刻で検出された２つの顔画像｛顔画像(t0)と顔画像(t1)｝を比較するためには、比較時点において両画像が存在していなければならず、
　後の検出時刻(t1)において、後の検出時刻で検出した顔画像(t1)と、前の検出時刻で検出した顔画像(t0)を比較するためには、前の検出時刻で検出した顔画像(t0)を記憶保持しておかなくてはならないことは、当業者に自明かつ技術常識である。
　
　以上によれば、上記［相違点１の克服］及び［相違点２の克服］をすること、すなわち、
　引用発明が、Ｂ「前記顔検出手段により検出された顔に関する顔画像を保持する保持手段」を備えるとし、
　引用発明の上記Ｃ’『
処理手段
顔の人物の特定をし、区間を抽出識別し登録する処理
  第２の顔画像が、前記保持手段に保持された第２の顔画像であり、
　前記第1の顔画像と前記第２の顔画像とを比較し、前記第１の顔画像と前記第２の顔画像とが同一人物の顔画像であるか否かを判別する顔画像処理手段（を含む）とする
　ことは、当業者が容易に想到し得ることである。
　
（３）まとめ｛相違点等の判断（容易想到性の判断）｝
　以上にように、［相違点１の克服］も［相違点２の克服］も、刊行物１記載の発明及び技術常識に基づいて、当業者が容易になし得ることであるところ、引用発明を出発点として、これらを合わせて克服することも、当業者が容易になし得ることである。
　
［７］まとめ（理由：独立特許要件不適合）
　以上によれば、補正後の請求項１に記載される発明は、上記刊行物１に記載された発明及び技術常識に基づいて、当業者が容易に発明をすることができたものであるから、特許法第２９条第２項の規定により特許出願の際独立して特許を受けることができない。
　
【第３】当審の判断　  
 　  
［１］本願発明
　平成２０年１２月１５日付けの補正は上記のとおり却下する。
　本願の請求項１から請求項２１までに係る発明は、本願明細書及び図面（平成２０年６月３日付けの手続補正書により補正された明細書及び図面）の記載からみて、それぞれ、その特許請求の範囲の請求項１から請求項２１までに記載した事項により特定されるとおりのものであるところ、そのうち、請求項１に係る発明（以下「本願発明」という。）は、下記のとおりであると認められる。
　　　　　記（本願発明）
　動画コンテンツに基づいて顔検出処理を実行する顔検出手段と、
　前記顔検出手段により検出された顔に関する顔画像を保持する保持手段と、
　前記動画コンテンツ内において前記顔検出手段により検出された顔に関する第1の顔画像と、前記動画コンテンツ内で既に検出された顔に関する、前記保持手段に保持された第２の顔画像とを比較し、前記第１の顔画像と前記第２の顔画像とが同一人物の顔画像であるか否かを判別する顔画像処理手段と
　を備える情報処理装置。
　 
［２］引用刊行物の記載
　原査定の拒絶の理由に引用された刊行物である特開２００５−３３３３８１号公報（上記刊行物１に同じ。）には、前記「【第２-４】［２］」のとおりの事項が記載されている。
　
［３］刊行物１に記載された発明
　
　刊行物１には、前記「【第２-４】［３］」で認定したとおりの引用発明が認められる。
　
［４］本願発明と引用発明との対比
　
　本願発明は、以下のように要件Ａ〜Ｄに分説することができる。
　　　　　本願発明（分説）
　Ａ：動画コンテンツに基づいて顔検出処理を実行する顔検出手段と、
　Ｂ：前記顔検出手段により検出された顔に関する顔画像を保持する保持手段と、
　Ｃ：前記動画コンテンツ内において前記顔検出手段により検出された顔に関する第1の顔画像と、前記動画コンテンツ内で既に検出された顔に関する、前記保持手段に保持された第２の顔画像とを比較し、前記第１の顔画像と前記第２の顔画像とが同一人物の顔画像であるか否かを判別する顔画像処理手段と
　Ｄ：を備える情報処理装置。
　本願発明と引用発明との対応については、前記「【第２-４】［４］（２）「対応関係」を援用する。
　
［５］一致点、相違点 
　本願発明と引用発明との一致点、相違点は以下のとおりである。 
 　 
［一致点］ 
　Ａ：動画コンテンツに基づいて顔検出処理を実行する顔検出手段と、
　Ｃ”：『前記動画コンテンツ内において前記顔検出手段により検出された顔に関する第1の顔画像と、前記動画コンテンツ内で既に検出された顔に関する、第２の顔画像とを用いた
処理手段
　Ｄ：を備える情報処理装置。
　
　［相違点１］
　本願発明は、
　　Ｂ「前記顔検出手段により検出された顔に関する顔画像を保持する保持手段」を備えるとするのに対し、
　引用発明は、
　　これを備えるとはしていない点。
　
　［相違点２］
　上記Ｃ”『
処理手段
  本願発明では、
　　第２の顔画像が、前記保持手段に保持された第２の顔画像であり、
　　前記第1の顔画像と前記第２の顔画像とを比較し、前記第１の顔画像と前記第２の顔画像とが同一人物の顔画像であるか否かを判別する顔画像処理手段であるとするのに対して、
　引用発明では、
　　第２の顔画像が、前記保持手段に保持された第２の顔画像であり、とはしていないし、
　　前記第1の顔画像と前記第２の顔画像とを比較し、前記第１の顔画像と前記第２の顔画像とが同一人物の顔画像であるか否かを判別する顔画像処理手段であるともしていない点。
　
［６］相違点等の判断（容易想到性の判断） 
　前記「【第２-４】［６］」でした、補正後発明についての相違点等の判断と同じである。
　
［７］まとめ（本願発明）
　本願発明は、刊行物１記載の発明及び技術常識に基づいて当業者が容易に発明をすることができたものである。
　
【第４】むすび　  
　以上、本願の請求項１に係る発明は、刊行物１に記載された発明及び技術常識に基づいて、当業者が容易に発明をすることができたものであるから、特許法第２９条第２項の規定により特許を受けることができない。  
　したがって、本願の他の請求項について検討するまでもなく、本願は拒絶をすべきものである。  
　
　よって、結論のとおり審決する。